(57)【要約】【課題】  上ルーパ台案内と上ルーパ土台の互いに摺接する摺動面に供給されたグリースが、上ルーパ台案内の回転揺動に伴い上ルーパ土台の縦穴から外部に露出されるのを防ぎ、前記摺動面または上ルーパ駆動機構が収容される上ルーパ台室に異物が侵入することを防止できる上ルーパ駆動機構の潤滑装置を提供する。【解決手段】  上ルーパ台案内７の外周面７ａには左右一対のグリース収容部７ｃ，７ｄが外周面７ａの前端から後端まで溝状に延設されて形成され、前記グリース収容部７ｃ，７ｄの両側に上側トラップ溝７ｅ，７ｇと下側トラップ溝７ｆ，７ｈとが上ルーパ土台４の摺動面５ａｂに開口して形成されている。トラップ溝７ｅ〜７ｈは上ルーパ台案内７の回転揺動時に、常時摺動面５ａｂと対向する範囲内に位置するように設定されている。【選択図】図２
2013192718.tif 000002
【特許請求の範囲】
【請求項１】
前後に貫通して形成される円形孔を備え、ミシンフレームに固着される上ルーパ土台と、
前記円形孔に円周方向に回転揺動自在に装着される円柱状の上ルーパ台案内と、
前記上ルーパ台案内を直径方向に貫通して形成される貫通孔に摺動自在に挿通される上ルーパ台と、
前記上ルーパ台案内より上方に突出する前記上ルーパ台の上端に取着される上ルーパとを備え、
前記上ルーパ台は主軸に連動して揺動する上ルーパ軸と上ルーパレバーにより連結されており、
前記上ルーパ軸に連動して前記上ルーパ台が前記上ルーパ台案内の回転揺動に案内されながら昇降するようにされた上ルーパ駆動機構において、
前記上ルーパ台案内と前記上ルーパ土台の互いに摺接する摺動面をグリース潤滑させ、
前記摺動面のいずれか一方に摺動面に開口するように形成されたトラップ溝を設けたことを特徴とする上ルーパ駆動機構の潤滑装置。
【請求項２】
前記トラップ溝は前記上ルーパ台案内の回転揺動時に、常時前記摺動面に対向する範囲内に位置するように設定されている請求項１に記載の上ルーパ駆動機構の潤滑装置。
【請求項３】
前記トラップ溝は上ルーパ台案内側の摺動面に設けられた請求項２に記載の上ルーパ駆動機構の潤滑装置。
【請求項４】
前記トラップ溝は上ルーパ土台側の摺動面に設けられた請求項２に記載の上ルーパ駆動機構の潤滑装置。
【発明の詳細な説明】
【技術分野】
【０００１】
本発明は、オーバーロックミシンにおける上ルーパ駆動機構の潤滑装置に関する。
【背景技術】
【０００２】
この種の上ルーパ駆動機構の潤滑装置として、上ルーパ台案内の回転揺動に伴い上ルーパ台案内と上ルーパ土台とが相対的に摺接する摺動面にグリースを供給するものが従来より知られている（例えば、特許文献１参照）。
特許文献１記載の潤滑装置によれば、グリースを貯留し適宜補充できるグリース収容部（グリース貯留部）をミシンに備えることで、グリース収容部から上ルーパ台案内（上ルーパ抱きガイド）と上ルーパ土台（上ルーパ支え）との摺動面にグリースを切らすことなく恒久的に供給することができるというものである。
【先行技術文献】
【特許文献】
【０００３】
【特許文献１】特開２００２−３５４６３号公報
【発明の概要】
【発明が解決しようとする課題】
【０００４】
しかしながら、前記摺動面に供給されたグリースの一部は上ルーパ台案内の回転揺動の際に、上ルーパ台案内の外周面に同期して上ルーパ土台の縦穴から外部に露出されるので、露出されたグリースには異物が混入しやすい。そして、グリースに混入した異物が上ルーパ台案内の回転揺動に伴い前記摺動面または上ルーパ駆動機構が収容される上ルーパ台室に侵入するという問題があった。
【０００５】
本発明は、このような問題を解決するためになされたものであり、その目的とするところは、前記摺動面に供給されたグリースが上ルーパ台案内の回転揺動に伴い上ルーパ土台の縦穴から外部に露出されるのを防ぎ、前記摺動面または上ルーパ駆動機構が収容される上ルーパ台室に異物が侵入することを防止できる上ルーパ駆動機構の潤滑装置を提供することにある。
【課題を解決するための手段】
【０００６】
本発明は、上記目的を達成するために、請求項１に記載の上ルーパ駆動機構の潤滑装置は、
前後に貫通して形成される円形孔を備え、ミシンフレームに固着される上ルーパ土台と、
前記円形孔に円周方向に回転揺動自在に装着される円柱状の上ルーパ台案内と、
前記上ルーパ台案内を直径方向に貫通して形成される貫通孔に摺動自在に挿通される上ルーパ台と、
前記上ルーパ台案内より上方に突出する前記上ルーパ台の上端に取着される上ルーパとを備え、
前記上ルーパ台は主軸に連動して揺動する上ルーパ軸と上ルーパレバーにより連結されており、
前記上ルーパ軸に連動して前記上ルーパ台が前記上ルーパ台案内の回転揺動に案内されながら昇降するようにされた上ルーパ駆動機構において、
前記上ルーパ台案内と前記上ルーパ土台の互いに摺接する摺動面をグリース潤滑させ、
前記摺動面のいずれか一方に、摺動面に開口するように形成されたトラップ溝を設けたことを特徴とするものである。
【０００７】
請求項２の潤滑装置は、請求項１の発明において、前記トラップ溝は前記上ルーパ台案内の回転揺動時に、常時前記摺動面に対向する範囲内に位置するように設定されていることを特徴とする。
【０００８】
請求項３の潤滑装置は、請求項２の発明において、前記トラップ溝は上ルーパ台案内側の摺動面に設けられたものである。
【０００９】
請求項４の潤滑装置は、請求項２の発明において、前記トラップ溝は上ルーパ土台側の摺動面に設けられたものである。
【発明の効果】
【００１０】
本発明によれば、上ルーパ駆動機構における上ルーパ台案内と上ルーパ土台の互いに摺接する摺動面に設けたトラップ溝により、該摺動面に供給したグリースが上ルーパ台案内の回転揺動に伴い上ルーパ土台の縦穴から外部に露出されることを防止できる。すなわち、グリースに異物が混入することがなく、上ルーパ台案内の回転揺動に伴い前記摺動面または上ルーパ駆動機構が収容される上ルーパ台室に異物が侵入することを防止できる。
【図面の簡単な説明】
【００１１】
【図１】前カバーを取外した状態のオーバーロックミシンの正面図。
【図２】上ルーパ駆動機構の部分断面正面図。
【図３】上ルーパ駆動機構の分解斜視図。
【図４】上ルーパ台案内の（ａ）正面図と（ｂ）斜視図。
【図５】上ルーパ駆動機構において上ルーパ台の（ａ）右死点を示す正面図と（ｂ）左死点を示す正面図。
【図６】上ルーパ台案内が（ａ）反時計回りに回転揺動するときの要部拡大正面図と（ｂ）時計回りに回転揺動するときの要部拡大正面図。
【図７】変更形態に係る上ルーパ駆動機構の正面図。
【発明を実施するための最良の形態】
【００１２】
オーバーロックミシンのミシンベッドＡにおいて、通常ミシンベッドＡの前面には前カバー（図示しない）が取り付けられている。図１，図２は前カバーを取り外し、上ルーパ駆動機構Ｂがミシン前面に現れた状態を示している。図２，図３に基づいて、上ルーパ駆動機構Ｂについて説明する。上ルーパ土台４は一対の横向きに並設される各長穴１，１を通してミシンベッドＡのフレーム２にボルト３，３がそれぞれ捩じ込まれて固定されている。上ルーパ土台４は長穴１，１の範囲内で横方向に位置調整可能に固定されている。上ルーパ土台４には、上ルーパ土台４を前後に貫通する円形状の円形孔５と、円形孔５と直交し上ルーパ土台４を上下に貫通する縦穴６が形成されている。円形孔５には円柱状の上ルーパ台案内７が円周方向に回転揺動自在に装着されている。上ルーパ台案内７の外周面７ａと上ルーパ土台４の円形孔５の内周面５ａは互いに摺接する摺動面（外周面７ａ側を摺動面７ａｂ、内周面５ａ側を摺動面５ａｂとする）をそれぞれ有する。
【００１３】
上ルーパ台案内７には上ルーパ台案内７を直径方向に貫通して貫通孔７ｂが形成されている。軸状の上ルーパ台９は貫通孔７ｂに摺動自在に挿通されている。上ルーパ台案内７及び上ルーパ土台４の縦穴６より上方に突出する上ルーパ台９の上端には上ルーパ１０がネジ１１で取着されている。上ルーパ台９の下端には二又部９ａが形成され、二又部９ａと上ルーパ軸１４は上ルーパレバー１６により連結されている。上ルーパ軸１４はミシン主軸（図示しない）に連動して軸周りに揺動するようにされてあり、上ルーパ軸１４が揺動すると、上ルーパレバー１６は上ルーパ台９に連結された先端が上下に揺動し、上ルーパ台９が上ルーパ台案内７の回転揺動に案内されながら昇降する。図３に示すように、上ルーパ土台４にはその前面に板状の上ルーパ土台カバー１８が固定され、上ルーパ台案内７はフレーム２と上ルーパ土台カバー１８で前後から挟持されている。また、上ルーパレバー１６や上ルーパ台９の下部等が配される上ルーパ台室Ｃは前面が前カバー（図示しない）で覆われる。
【００１４】
図４に示すように、上ルーパ台案内７の外周面７ａにおける貫通孔７ｂの上部開口から下部開口までの略中間位置には、左右一対のグリース収容部７ｃ，７ｄが外周面７ａの前端から後端まで溝状に延設されて形成されている。さらに、上ルーパ台案内７の外周面７ａには、グリース収容部７ｃ，７ｄと貫通孔７ｂの上部開口との間にそれぞれトラップ溝７ｅ，７ｇが形成されるとともに、グリース収容部７ｃ，７ｄと貫通孔７ｂの下部開口との間にそれぞれトラップ溝７ｆ，７ｈが形成されている。トラップ溝７ｅ，７ｇ及びトラップ溝７ｆ，７ｈは、グリース収容部７ｃ，７ｄ同様に、上ルーパ台案内７の外周面７ａの前端から後端まで溝状に延設されている。また、上ルーパ台案内７が上ルーパ土台４に装着されている時、グリース収容部７ｃ，７ｄ及びトラップ溝７ｅ〜７ｈは上ルーパ土台４の摺動面５ａｂに開口している。グリース収容部７ｃ，７ｄの幅寸法はトラップ溝７ｅ〜７ｈの幅寸法より大きく形成されており、グリース収容部７ｃ，７ｄの深さ寸法とトラップ溝７ｅ〜７ｈの深さ寸法とは同一あるいは略同一に形成されている。初期にはグリースＧがグリース収容部７ｃ，７ｄにのみ充填されている。
【００１５】
図５は上ルーパ台９が上ルーパ台案内７の回転揺動に案内されつつ昇降するときの（ａ）右死点、（ｂ）左死点の状態を示している。図５（ａ）に示す通り、上ルーパ台９の右死点時において、トラップ溝７ｅは摺動面７ａｂの最上部近傍に位置し、トラップ溝７ｈは摺動面７ａｂの最下部近傍に位置するように設定されている。また、図５（ｂ）に示す通り、上ルーパ台９の左死点時において、トラップ溝７ｇは摺動面７ａｂの最上部近傍に位置し、トラップ溝７ｆは摺動面７ａｂの最下部近傍に位置する。そして、トラップ溝７ｅ〜７ｈは上ルーパ台案内７の回転揺動時に、常時摺動面５ａｂと対向する範囲内に位置するように設定されている。
【００１６】
次に、上ルーパ台案内７の回転揺動の際に、このように上ルーパ台案内７に設けられたグリース収容部７ｃとトラップ溝７ｅ，７ｆの作用及び効果について説明する。グリース収容部７ｄとトラップ溝７ｇ，７ｈはグリース収容部７ｃとトラップ溝７ｅ，７ｆとそれぞれ同様の作用及び効果を有するため、グリース収容部７ｄとトラップ溝７ｇ，７ｈの作用及び効果についての説明は省略する。
【００１７】
まず、上ルーパ台案内７が反時計回りに回転揺動する際のトラップ溝７ｅとトラップ溝７ｆのシール作用を説明する。図６（ａ）に示すように、上ルーパ台案内７が高速で反時計回りに回転揺動する場合には、上側トラップ溝７ｅとグリース収容部７ｃとの間の両摺動面５ａｂ，７ａｂで形成される微小空間Ｓａに存在する微小量のグリースＧが上ルーパ台案内７に同期して下方に移動するため、ポンピング作用により上側トラップ溝７ｅは負圧になる。上ルーパ台案内７が高速で反時計回りに回転揺動する場合には、グリース収容部７ｃと下側トラップ溝７ｆとの間の両摺動面５ａｂ，７ａｂで形成される微小空間Ｓｂに対して下側トラップ溝７ｆの容積が大きいため、下側トラップ溝７ｆは若干ではあるが負圧気味になる。
【００１８】
一方、図６（ｂ）に示すように、上ルーパ台案内７が高速で時計回りに回転揺動する場合には、反時計回りの場合と逆になり、微小空間Ｓｂに存在する微小量のグリースＧが上ルーパ台案内７に同期して上方に移動するため、ポンピング作用により下側トラップ溝７ｆは負圧になる。また、微小空間Ｓａに対して上側トラップ溝７ｅの容積が大きいため、上側トラップ溝７ｅは若干ではあるが負圧気味になる。
【００１９】
図６（ａ）に示すように、上ルーパ台案内７が高速で反時計回りに回転揺動する場合には、上側トラップ溝７ｅに既に溜まっているグリースＧは、前述したポンピング作用で微小空間Ｓａに吸い出されて下方に移動し、グリース収容部７ｃで回収される。また、上ルーパ台案内７が高速で反時計回りに回転揺動する場合には、下側トラップ溝７ｆも負圧気味になるため、微小空間Ｓｂに存在する薄膜状で微小量のグリースＧは、下方への移動途中で負圧状態の下側トラップ溝７ｆに吸い込まれて回収される。
【００２０】
一方、上ルーパ台案内７が高速で時計回りに回転揺動する場合には、図６（ｂ）に示すように、反時計回りと略逆になり、下側トラップ溝７ｆに既に溜まっているグリースＧは、前述したポンピング作用で微小空間Ｓｂに吸い出されて上方に移動し、グリース収容部７ｃで回収される。また、上ルーパ台案内７が高速で時計回りに回転揺動する場合には、上側トラップ溝７ｅも負圧気味になるため、微小空間Ｓａに存在する薄膜状で微小量のグリースＧは、上方への移動途中で負圧状態の上側トラップ溝７ｅに吸い込まれて回収される。
【００２１】
このように、上ルーパ台案内７にグリース収容部７ｃ，７ｄが形成されるとともに、そのグリース収容部７ｃ，７ｄの両側に上側トラップ溝７ｅ，７ｇと下側トラップ溝７ｆ，７ｈとが形成されたので、上ルーパ台案内７が時計回りに回転揺動する場合でも、反時計回りに回転揺動する場合であっても、トラップ溝７ｅ〜７ｈの内部は上ルーパ台案内７の移動により負圧状態になり、上ルーパ台案内７の摺動面７ａｂに付着した薄膜状で微量のグリースＧの殆どをこれらトラップ溝７ｅ〜７ｈに取り込んで回収でき、グリースＧが縦穴６から外部に露出することがないため、グリースに異物が混入することがなく、上ルーパ台案内７の回転揺動に伴い摺動面５ａｂ，７ａｂまたは上ルーパ台室に異物が侵入することを防止できる。また、グリースが外部に露出することがないのでグリース収容部に充填されたグリース量はほとんど減少せず、グリースの充填時期を遅らせることができる。
【００２２】
また、トラップ溝７ｅ〜７ｈの幅寸法はグリース収容部７ｃ，７ｄの幅寸法よりも小さいので、トラップ溝７ｅ〜７ｈによる微小空間に存在するグリースＧの取り込み効果を一層高めることができる。なお、本実施例では、摺動面をグリース潤滑させるためにグリース収容部を設けたが、グリース収容部を設けず摺動面に直接グリースを塗布しグリース潤滑させてもよい。
【００２３】
次に、他の実施例について本実施例と相違する構成のみを説明する。図７に示すように、グリース収容部２１ｃ，２１ｄやトラップ溝２１ｅ〜２１ｈを上ルーパ土台１９に形成される円形孔２１の内周面２１ａに設けてもよい。グリース収容部２１ｃ，２１ｄやトラップ溝２１ｅ〜２１ｈを上ルーパ土台１９に形成される円形孔２１の内周面２１ａに設けたので、上ルーパ台案内１７の回転揺動量が大きい場合でも、トラップ溝２１ｅ〜２１ｈは常時摺動面１７ａｂと対向する範囲内に位置することができる。
【００２４】
本発明は以上説明した実施例に限定されるものではなく、当業者であれば、本発明の趣旨を逸脱しない範囲で、前記実施例に種々の変更を付加して実施することができ、本発明はそれらの変更形態をも包含するものである。
【符号の説明】
【００２５】
Ａ                ミシンベッド
Ｂ                上ルーパ駆動機構
Ｃ                上ルーパ台室
４                上ルーパ土台
５                円形孔
５ａ              内周面
６                縦穴
７                上ルーパ台案内
７ａ              外周面
７ｂ              貫通孔
７ｃ              グリース収容部
７ｄ              グリース収容部
７ｅ              トラップ溝
７ｆ              トラップ溝
７ｇ              トラップ溝
７ｈ              トラップ溝
９                上ルーパ台
１４              上ルーパ軸
１６              上ルーパレバー
【図１】
2013192718.tif 000003
【図２】
2013192718.tif 000004
【図３】
2013192718.tif 000005
【図４】
2013192718.tif 000006
【図５】
2013192718.tif 000007
【図６】
2013192718.tif 000008
【図７】
2013192718.tif 000009